(57)【要約】【課題】本発明は通常時には建築面積に積算されない開放状態となり、所定量以上の風圧が作用すると開口部が閉じ、風雨が内部に浸入するのを阻止することができるカバー装置を得るにある。【解決手段】枠状のフレームと、この枠状のフレームの一方の対向するフレーム部材に所定間隔で両端部が枢支され、所定量以上の風圧が作用すると該風圧によって回動して、該フレームの開口部を閉じる多数個の開閉羽根と、この多数個の開閉羽根に取付けられた、常時は開放状態を保ち、所定量以上の風圧が作用すると該風圧によってフレームの開口部を閉じるように作用させることができる開閉羽根支持手段とでカバー装置を構成している。【選択図】　図１
2004084159.tif 000002
【特許請求の範囲】
【請求項１】
枠状のフレームと、この枠状のフレームの一方の対向するフレーム部材に所定間隔で両端部が枢支され、所定量以上の風圧が作用すると該風圧によって回動して、該フレームの開口部を閉じる多数個の開閉羽根と、この多数個の開閉羽根に取付けられた、常時は開放状態を保ち、所定量以上の風圧が作用すると該風圧によってフレームの開口部を閉じるように作用させることができる開閉羽根支持手段とからなることを特徴とするカバー装置。
【請求項２】
チャンネル材あるいはアングル材を用いて内側部分が凹部となるように形成された枠状のフレームと、この枠状のフレームの一方の対向するフレーム部材の側板に所定間隔で両端部が枢支されるとともに、先端部が該フレーム部材の前板に係止され、所定量以上の風圧が作用すると、該風圧によって回動して該フレームの開口部を閉じる多数個の開閉羽根と、この多数個の開閉羽根に取付けられた、常時は開放状態を保ち、所定量以上の風圧が作用すると該風圧によってフレームの開口部を閉じるように作用させることができる開閉羽根支持手段とからなることを特徴とするカバー装置。
【請求項３】
左右の建物の目地部の幅寸法よりも大きい幅寸法に形成された枠状のフレームと、この枠状のフレームを一方の建物の壁面方向にスライド移動できるように他方の建物の壁面にスライド可能に支持するフレーム支持具と、前記フレームを前記一方の建物の壁面に当接するように常時付勢するフレーム付勢手段と、前記フレームの一方の対向するフレーム部材に所定間隔で両端部が枢支され、所定量以上の風圧が作用すると該風圧によって回動して、該フレームの開口部を閉じる多数個の開閉羽根と、この多数個の開閉羽根に取付けられた、常時は開放状態を保ち、所定量以上の風圧が作用すると該風圧によってフレームの開口部を閉じるように作用させることができる開閉羽根支持手段とからなることを特徴とするカバー装置。
【発明の詳細な説明】
【０００１】
【発明の属する技術分野】
本発明は建物の開放廊下や渡り通路等の開放スペースのカバー装置に関する。
【０００２】
【従来の技術】
従来、渡り通路や建物の外側の通路部分を閉じた状態に形成すると建築面積の内に積算されるため、開放状態にして建築面積が大きくなるのを阻止している。
【０００３】
【発明が解決しようとする課題】
従来の建築面積に積算されない開放状態にした渡り通路や外側通路部分等は、雨や風にさらされるという欠点があった。
【０００４】
本発明は以上のような従来の欠点に鑑み、通常時には建築面積に積算されない開放状態となり、所定量以上の風圧が作用すると開口部を閉じ、風雨が内部に侵入するのを阻止することができるカバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は枠状のフレームと、この枠状のフレームの一方の対向するフレーム部材に所定間隔で両端部が枢支され、所定量以上の風圧が作用すると該風圧によって回動して、該フレームの開口部を閉じる多数個の開閉羽根と、この多数個の開閉羽根に取付けられた、常時は開放状態を保ち、所定量以上の風圧が作用すると該風圧によってフレームの開口部を閉じるように作用させることができる開閉羽根支持手段とでカバー装置を構成している。
【０００７】
【発明の実施の形態】
以下、図面に示す実施の形態により、本発明を詳細に説明する。
【０００８】
図１ないし図１０に示す本発明の第１の実施の形態において、１は左右の建物２、２の外壁面２ａ、２ａ間の目地部３を覆う本発明のカバー装置で、このカバー装置１は前記目地部３の幅寸法よりも大きい幅寸法に形成されたアングル状のフレーム部材４を用いた枠状のフレーム５と、この枠状のフレーム５を一方の建物２の外壁面２ａ方向にスライド移動できるように他方の建物２の目地部側壁面２ａにスライド移動可能に支持する外壁面２ａに少なくとも２対で２個以上、ほぼ水平に取付けられたクランク状のレール支持部材６、６に取付けられたローラ７、７および、該ローラ７、７にスライド移動可能に係合する前記枠状のフレーム５に溶接等によって固定されたガイドレール８、８とからなるフレーム支持具９と、前記枠状のフレ−ム５を前記一方の建物２の外壁面２ａに当接するように常時付勢するフレ−ム付勢手段１０と、前記枠状のフレ−ム５の一方、本発明の実施の形態では、左右方向の対向するフレ−ム部材４、４に所定間隔で両端部が枢支され、所定量以上の風圧が作用すると該風圧によって回動して、該枠状のフレ−ム５の開口部５ａを閉じる多数個の開閉羽根１１と、この多数個の開閉羽根１１に取付けられた、常時は開放状態を保ち、所定量以上の風圧が作用すると該風圧によって枠状のフレ−ム５の開口部５ａを閉じるように作用させることができる開閉羽根支持手段１２とで構成されている。
【０００９】
前記フレ−ム付勢手段１０は少なくとも１個以上、好ましくは２個以上設けられるもので、一端部が前記他方の建物２側のフレ−ム部材４に取付けられ、前記他方の建物２の目地部３側の外壁面２ａに取付けられたガイドロ−ラ１３を介して、該ガイドロ−ラ１３下部の外壁面２ａにコイルスプリング１４を介して取付けられた作動杆１５で構成されている。
【００１０】
前記多数個の開閉羽根１１は先端両側部が、前記枠状のフレ−ム５の前面板４ａ、４ａに当接する、ほぼへ字状に形成された開閉羽根本体１６と、この開閉羽根本体１６の両側部より外方に突出するように形成された前記フレ−ム部材４、４の側板４ｂ、４ｂに形成された軸１７、１７に支持される筒状の軸受１８、１８とで構成されている。
【００１１】
前記開閉羽根支持手段１２は前記開閉羽根１１の後端部に一体あるいは固定的に取付けられた重り１９で構成されている。
なお、左右の建物２、２間の目地部３の上部には上部カバ−装置２０が取付けられる。
【００１２】
上記構成のカバ−装置１はフレ−ム付勢手段１０によって、枠状のフレ−ム５を一方の建物２の外壁面２ａに当接するように付勢されているため、多数個の開閉羽根１１が開放された状態で、建物２、２間の目地部３を覆った状態になっている。
【００１３】
地震等によって左右の建物２、２が揺れ動いても、フレ−ム付勢手段１０によって枠状のフレ−ム５をスライド移動させて、その揺れ動きを吸収する。揺れ動きが大きい場合には枠状のフレ−ム５が一方の建物２の外壁面２ａから離れる。
【００１４】
所定量以上の風圧が多数個の開閉羽根１１に作用すると、多数個の開閉羽根１１が開閉羽根支持手段１２としての重り１９に抗して枠状のフレ−ム５の開口部５ａを閉じ、風や雨が内部へ浸入するのを阻止することができ、風圧が所定量以下になった場合には自動的に元の開放状態となる。
【００１５】
【発明の異なる実施の形態】
次に、図１１ないし図２７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図１１ないし図１５に示す本発明の第２の実施の形態において、前記本発明の第１の実施の形態と主に異なる点は、角パイプ材２１の一端部より内側に突出するように前面板４ａを一体形成されたフレ−ム部材４Ａを用いて形成した枠状のフレ−ム５Ａと、この枠状のフレ−ム５Ａの対向するフレ−ム部材４Ａの角パイプ材２１部位に所定間隔で形成された軸孔２２、２２に挿入される軸２３、２３を両側部より突出する多数個の開閉羽根１１Ａと、重り２４を用いたフレ−ム付勢手段１０Ａとを用いた点で、このように構成したカバ−装置１Ａにしても、前記本発明の第１の実施の形態と同様な作用効果が得られる。
【００１７】
図１６ないし図１８に示す本発明の第３の実施の形態において、前記本発明の第２の実施の形態と主に異なる点は、多数個の開閉羽根１１Ａが同時に開閉するように取付けられた紐、ワイヤ−等の連結杆２５と、この連結杆２５に取付けられたスプリングあるいは重り、本発明の実施の形態では重り２６とからなる開閉羽根支持手段１２Ａを用いた点で、このような開閉羽根支持手段１２Ａを用いて構成したカバ−装置１Ｂにしても、前記本発明の第２の実施の形態と同様な作用効果が得られる。
【００１８】
図１９ないし図２１に示す本発明の第４の実施の形態において、前記本発明の第３の実施の形態と主に異なる点は、直列状態で複数個の枠が形成された枠状のフレ−ム５Ｂと、この枠状のフレ−ム５Ｂの各枠の両側部のフレ−ム部材４Ａ、４Ａに所定間隔で両端部が枢支された多数個の開閉羽根１１Ａとを用いた点で、このように構成したカバ−装置１Ｃにしても、前記本発明の第３の実施の形態と同様な作用効果が得られる。
【００１９】
図２２ないし図２４に示す本発明の第５の実施の形態において、前記本発明の第１の実施の形態と主に異なる点は、一方の建物２より他方の建物２の開口部２７内へスライド移動可能に挿入可能な渡り通路２８の両側壁部分に枠状のフレ−ム５、５を固定状態で取付けた点で、このように枠状のフレ−ム５、５を渡り通路２８の躯体２８ａに固定的に取付けたカバ−装置１Ｄにしても、前記本発明の第１の実施の形態と同様な作用効果が得られる。
【００２０】
図２５ないし図２７に示す本発明の第６の実施の形態において、前記本発明の第３の実施の形態と主に異なる点は、直列状態で複数個の枠が形成された枠状のフレ−ム５Ｂと、この枠状のフレ−ム５Ｂの各枠の上下部のフレ−ム部材４Ａ、４Ａに所定間隔で両端部が枢支された多数個の開閉羽根１１Ａとを用いた点で、このように構成したカバ−装置１Ｅにしても、前記本発明の第３の実施の形態と同様な作用効果が得られる。
【００２１】
【発明の効果】
以上の説明から明らかなように、本発明にあっては次に列挙する効果が得られる。
【００２２】
（１）枠状のフレームと、この枠状のフレームの一方の対向するフレーム部材に所定間隔で両端部が枢支され、所定量以上の風圧が作用すると該風圧によって回動して、該フレームの開口部を閉じる多数個の開閉羽根と、この多数個の開閉羽根に取付けられた、常時は開放状態を保ち、所定量以上の風圧が作用すると該風圧によってフレームの開口部を閉じるように作用させることができる開閉羽根支持手段とで構成されているので、枠状のフレ−ムに取付けられた多数個の開閉羽根は、常時開放状態を保つことができる。
したがって、開放スペ−スとなり、建築面積に積算されるのを防止できる。
【００２３】
（２）前記（１）によって、所定量以上の風圧が多数個の開閉羽根に作用すると、枠状のフレ−ムの開口部を閉じることができる。
したがって、風や雨が内部に浸入するのを効率よく阻止することができる。
【００２４】
（３）前記（１）によって、構造が簡単であるので、容易に製造することができる。
【００２５】
（４）請求項２、３も前記（１）〜（３）と同様な効果が得られる。
【図面の簡単な説明】
【図１】本発明の第１の実施の形態の正面図。
【図２】本発明の第１の実施の形態の平面図。
【図３】図１の３−３線に沿う断面図。
【図４】図１の４−４線に沿う拡大断面図。
【図５】本発明の第１の実施の形態のロ−ラの取付け状態の説明図。
【図６】本発明の第１の実施の形態の枠状のフレ−ムの説明図。
【図７】本発明の第１の実施の形態の開閉羽根の説明図。
【図８】本発明の第１の実施の形態のフレ−ム付勢手段の説明図。
【図９】左右の建物の異なる左右方向の動作説明図。
【図１０】本発明の第１の実施の形態の閉じた状態の開閉羽根の説明図。
【図１１】本発明の第２の実施の形態の正面図。
【図１２】図１１の１２−１２線に沿う拡大断面図。
【図１３】本発明の第２の実施の形態の枠状のフレ−ムの説明図。
【図１４】本発明の第２の実施の形態の開閉羽根の説明図。
【図１５】本発明の第２の実施の形態のフレ−ム付勢手段の説明図。
【図１６】本発明の第３の実施の形態の正面図。
【図１７】図１６の１７−１７線に沿う拡大断面図。
【図１８】本発明の第３の実施の形態の開閉羽根支持手段の説明図。
【図１９】本発明の第４の実施の形態の正面図。
【図２０】図１９の２０−２０線に沿う拡大断面図。
【図２１】本発明の第４の実施の形態の枠状のフレ−ムの説明図。
【図２２】本発明の第５の実施の形態の正面図。
【図２３】図２２の２３−２３線に沿う拡大断面図。
【図２４】図２２の２４−２４線に沿う拡大断面図。
【図２５】本発明の第６の実施の形態の正面図。
【図２６】図２５の２６−２６線に沿う拡大断面図。
【図２７】本発明の第６の実施の形態の開閉羽根支持手段の説明図。
【符号の説明】
１、１Ａ、１Ｂ、１Ｃ、１Ｄ、１Ｅ：カバ−装置、
２：建物、　　　　　　　２ａ：外壁面、
３：目地部、　　　　　　４、４Ａ：フレ−ム部材、
５、５Ａ：枠状のフレ−ム、
６：レ−ル支持部材、　　７：ローラ、
８：ガイドレ−ル、　　　９：フレ−ム支持具、
１０、１０Ａ：フレ−ム付勢手段、
１１、１１Ａ：開閉羽根、
１２、１２Ａ：開閉羽根支持手段、
１３：ガイドロ−ラ、　　１４：コイルスプリング、
１５：作動杆、　　　　　１６：開閉羽根本体、
１７：軸、　　　　　　　１８：軸受、
１９：重り、　　　　　　２０：上部カバ−部材、
２１：角パイプ材、　　　２２：軸孔、
２３：軸、　　　　　　　２４：重り、
２５：連結杆、　　　　　２６：重り、
２７：開口部、　　　　　２８：渡り通路。
【図１】
2004084159.tif 000003
【図２】
2004084159.tif 000004
【図３】
2004084159.tif 000005
【図４】
2004084159.tif 000006
【図５】
2004084159.tif 000007
【図６】
2004084159.tif 000008
【図７】
2004084159.tif 000009
【図８】
2004084159.tif 000010
【図９】
2004084159.tif 000011
【図１０】
2004084159.tif 000012
【図１１】
2004084159.tif 000013
【図１２】
2004084159.tif 000014
【図１３】
2004084159.tif 000015
【図１４】
2004084159.tif 000016
【図１５】
2004084159.tif 000017
【図１６】
2004084159.tif 000018
【図１７】
2004084159.tif 000019
【図１８】
2004084159.tif 000020
【図１９】
2004084159.tif 000021
【図２０】
2004084159.tif 000022
【図２１】
2004084159.tif 000023
【図２２】
2004084159.tif 000024
【図２３】
2004084159.tif 000025
【図２４】
2004084159.tif 000026
【図２５】
2004084159.tif 000027
【図２６】
2004084159.tif 000028
【図２７】
2004084159.tif 000029